(57)【要約】      （修正有）【課題】水燃焼装置で被加熱物を加熱しながら、その排ガスで起電する電力で、密室内の生物や無機物の品質を改良する超微細技術及び触媒技術をともに利用する排ガス燃料電池の提供。【解決手段】水燃焼装置１の燃焼室２内に化石燃料またはメタン系炭化水素のいずれでも使用できる噴霧口３、支燃物質噴霧口４および水資源噴霧口５から噴流する化石燃料またはメタン系炭化水素と支燃物質で点火後、水資源を増量しつつ容器内の被加熱物を加熱精製しながら、たとえば密室農地に植える稲の苗を、噴流する排ガスでの発電装置と燃料電池で起電する電力で、冷暖房、照明、湿度などを稲の苗の最適な生長条件に調整して玄米を１年間に７〜８回収穫できる。同様な方法で、密室内で化石燃料に代替する動植物または食糧、家畜飼料、海水の真水化などの生物や無機物などを、噴流する排ガスで起電する電力で大量生産または品質を改良する。【選択図】図１
2006244974.tif 000002
【特許請求の範囲】
【請求項１】
家庭ゴミと水資源が燃焼する高温の火炎で被加熱物を加熱しながら密室内の生物または無機物を改良し、高温の排ガスが噴流する導管で加熱されつつ回転する水車と同軸で回転して発電する排ガス発電装置で加熱された水蒸気の温度を調節しながら排ガス燃料電池で起電し、ガスタービンを走航させることを特徴とする排ガス燃料電池。
【発明の詳細な説明】
【技術分野】
【０００１】  本発明は、密室農地または自動車などの水燃焼火炎を使用する超微細技術及び太陽光と葉緑素などを触媒とし、さらに光触媒と水触媒で地球を洗って、環境の改良を図かる水燃焼火炎に関する。
【背景技術】
【０００２】  従来の水燃焼装置の火炎で走行する自動車（２輪車を含む）などでは、排気ガス内に、若干のＣＯ２ガスどの不燃焼物が含有されていた（例えば、特許文献１参照。特願２００４−１４７０００水燃焼装置の利用設備及び内燃機関図。３）。
【発明の開示】
【発明が解決しようとする課題】
【０００３】  ナノテクノロジー（超微細技術）は十億分の一の技術という意味である。
本発明は、設備する製品である自動車や密室農地などのすべての前記の水燃焼装置に利用して、製品を超小型化して、製造コストの大幅な削減を期待するものである。
【課題を解決するための手段】
【０００４】  触媒とは、それ自身は反応の前後で変化しないが、反応を促進するものである。たとえば、水は水素と酸素からできるが、ただ水素ガスと酸素ガスを混ぜても水にはならない。白金という触媒によって、水が生成される。
ただ「光合成」とは、太陽の光のエネルギーで、二酸化炭素と水から「デンプン」をつくる反応である。しかし、二酸化炭素と水の混合物に光を当てるだけでは、「デンプン」にならない。木の葉に含まれている葉緑素が、太陽光などの光を吸収していくことで、「デンプン」が生まれる。また、この反応の前後で、葉緑素はまったく変化していない。葉緑素が吸収した光エネルギーを利用して、この反応が進むためで、植物のなかに含まれている葉緑素は、一種の触媒（光触媒）である。
この葉緑素の代わりに、酸化チタン（ＴｉＯ２）という白色の粉末物質を触媒として使うと、光合成と似た化学反応を起こす。「合成」とは逆に物質を「分解」する現象で、これを「光触媒分解」という。「光触媒」のつぎの現象は、「光親水化」である。親水化とは、ガラスの表面などに水がよくなじむ現象で、酸化チタンをコーティングした材料（ガラスなど）に紫外線を当てると、水は水滴にならずに、ほぼ完全に広がっていく。
【発明の効果】
【０００５】  上述したように、本発明の水燃焼装置から噴流する火炎の種類や、固体、液体または気体の原料を、加熱、加工して製品化する場合の加熱燃料の使用量、温度による加熱時間などを、複数のパソコンを使用して、インターネットで結んで、精確で小量化された加熱加工製品を提供できる。【０００６】  水蒸気改質は、１９３０年代に米国で工業的に天然ガスからの水素製造法として始まって以来、水素、合成ガス、または都市ガスを製造する目的で世界各地で実施されているプロセスであり、アンモニア合成やメタノール合成に代表される各種工業、さらに石油精製工業における水素化分解・精製や水素化脱硫のために、過去から現在に亘ってのプラントが稼動している。また、最近では、自動車の燃料、密室農地の燃料または肥料、原子炉の燃料、半導体の電子産業、ガスタービン発電、および燃料電池などの多方面の工業における水素の需要も増加しつつあることから、触媒に要求される本来の性能のほかに、頻繁な起動や停止に対する機械的強度の維持や負荷追従性が良いことが要求されている。
【図１】
2006244974.tif 000003
【図２】
2006244974.tif 000004
【図３】
2006244974.tif 000005
【手続補正書】
【提出日】平成17年5月6日(2005.5.6)
【手続補正２】
【補正対象書類名】明細書
【補正対象項目名】全文
【補正方法】変更
【補正の内容】
【発明の詳細な説明】
【技術分野】
【０００１】  本発明は、密室農地または自動車などの水燃焼火炎を使用する超微細技術及び太陽光と葉緑素などを触媒とし、さらに光触媒と水触媒で地球を洗って，環境の改良を図る水燃焼火炎に関する。
【背景技術】
【０００２】  従来の水燃焼装置の火炎で走行する自動車（２輪車を含む）などでは、排気ガス内に、若干のＣＯ２ガスなどの不燃焼物が含有されていた。
これを、本発明者の先の出願である特許文献１の水燃焼装置の利用設備及び内燃機関で説明する。
本発明の水燃焼装置は、図１と図２において、燃焼室２の中央部にメタン系炭化水素などの燃料を噴霧する噴霧口３、次に酸素、空気又は酸素富化気体などの支燃物資の噴霧口４を設け、当該噴霧口４の外側に、河川水、湖沼水、地下水、海水などの水資源の噴霧口５を設ける。その他、図３に示す内燃機関を含めて、大小多種類に及ぶので、上記のメタン系燃料と水資源と支燃物資の燃焼する温度を、完全燃焼する方法が必要である。
この目的で、水燃焼装置の排ガスを１８００℃〜２０００℃とすれば、ＣＯ２ガスなどの不燃焼物質が完全燃焼する。【０００３】
【特許文献１】特願２００４−２３５４８５号明細書
【発明の開示】
【発明が解決しようとする課題】
【０００４】  ナノテクノロジー（超微細技術）は十億分の一の技術という意味である。
本発明は、設備する製品である自動車や密室農地などのすべての前記の水燃焼装置に利用して、製品を超小型化して、製造コストの大幅な削減を期待するものである。
【課題を解決するための手段】
【０００５】  触媒とは、それ自身は反応の前後で変化しないが、反応を促進するものである。例えば、水は水素と酸素からできるが、ただ水素ガスと酸素ガスを混ぜても水にはならない。
白金という触媒によって、水が生成される。
ただ「光合成」とは、太陽の光のエネルギーで、二酸化炭素と水から「デンプン」を作る反応である。しかし、二酸化炭素と水の混合物に光を当てるだけでは、「デンプン」にならない。木の葉に含まれている葉緑素が、太陽などの光を吸収していくことで、「デンプン」が生まれる。また、この反応の前後で、葉緑素はまったく変化していない。
葉緑素が吸収した光エネルギーを利用して、この反応が進むので、植物のなかに含まれている葉緑素は、一種の触媒（光触媒）である。
この葉緑素の代わりに、酸化チタン（ＴｉＯ２）という白色の粉末物質を触媒として使うと、光合成と似た化学反応を起こす。
「合成」とは逆に物質を「分解」する現象で、これを「光触媒分解」という。
「光触媒」のつぎの現象は、「光親水化」である。親水化とは、ガラスの表面などに水がよくなじむ現象で、酸化チタンをコーティングした材料（ガラスなど）に紫外線を当てると、水は水滴にならずに、ほぼ完全に広がっていく。
【発明の効果】
【０００６】  上述したように、本発明の水燃焼装置から噴流する火炎の種類や、固体、液体または気体の原料を、加熱、加工して製品化する場合の加熱燃料の使用量、温度による加熱時間などを複数のパソコンを使用して、インターネットで結んで、精確で小量化された加熱加工製品を提供できる。【０００７】  地球を覆っている水資源は、河川、湖沼、地下水、氷などの淡水と海水で、蒸発した水蒸気の一部が雲となり、雨や雪として地表に降り、再び海に戻るといわれている。
家庭ゴミと、上記の水資源の無尽蔵に無公害で最低コストで燃焼できる水燃焼装置から噴流する熱エネルギーと電気エネルギーを利用して、ビニールハウスなどの密室農地内の照明、温度、湿度などを調節して、熱帯、温帯、寒帯で必要とする植物が、化石燃料の約１０分の１の価格で生産可能となるので、人類を水文化の資源革命に導く経済効果がある。【０００８】  なお、本発明の水燃焼装置は、従来の太陽光発電、風力発電、海流発電と異なり、２４時間連続して、幾昼夜でも連続して発電できる。
【図面の簡単な説明】
【０００９】
【図１】本発明で使用される水燃焼装置の断面図。
【図２】図１のＡ−Ａ線に沿う断面図。
【図３】本発明の実施例を示す内燃機関の説明図。
【符号の説明】
【００１０】  １  水燃焼室
２  燃焼室
３  メタン系炭化水素などの燃料を燃焼室２に噴霧することができる噴霧口
４  酸素、空気又は酸素富化気体などの支燃物質の噴霧口
５  海水、河川水、湖沼水、地下水などの水資源の噴霧口